(57)【要約】【課題】限られた充電スペースを有効利用し、ユーザの要望に沿った時間帯に車両への充電ができる機械式駐車場を提供する。【解決手段】機械式駐車場１０は、車両への充電に対応した充電用パレット１００と、パレットを移動させる搬送装置の動作を制御する制御装置３０と、充電用パレット１００に電力を供給する充電スペース５２と、を備える。制御装置３０は、充電用パレットごとに充電を開始する予定時刻を保持する。制御装置３０は、充電スペース５２が空き状態となったとき、予定時刻が現在時刻以降である充電待ちの充電用パレットがある場合、および、充電開始時刻の指定がなかった充電待ちの充電用パレットについて予定時刻の前倒しが可能な場合、充電待ちの充電用パレットを空き状態の充電スペース５２に搬入して充電を開始させる。【選択図】図１
2014181500.tif 000002
【特許請求の範囲】
【請求項１】
車両への充電に対応した充電用パレットを含む、車両積載用の複数のパレットと、
それぞれが前記パレットを収容する複数の駐車スペースが配列される駐車室と、
前記駐車スペースの間で前記パレットを移動させる搬送装置と、
前記搬送装置の動作を制御する制御装置と、
前記複数の駐車スペースのうち、充電スペースとして利用される駐車スペースに前記充電用パレットが収容されたとき、当該充電用パレットに電力を供給する給電装置と、
を備え、
前記制御装置は、受付部と、保持部と、決定部と、管理部と、を備え、
前記受付部は、外部から車両への充電開始時刻の指定を受け付け、
前記保持部は、前記充電用パレットごとに充電を開始する予定時刻を保持し、
前記決定部は、
ａ）外部から充電開始時刻の指定があった場合、指定された充電開始時刻を前記予定時刻として決定し、
ｂ）外部から充電開始時刻の指定がない場合、前記保持部を参照して前記充電スペースの空き予定を確認し、その空き予定に対応した開始時刻を前記予定時刻として決定し、
前記管理部は、前記充電スペースが空き状態となったとき、
ｉ）前記保持部に保持される前記予定時刻が現在時刻以降である充電待ちの充電用パレットがある場合、および、
ｉｉ）前記保持部に保持される前記予定時刻が現在時刻以降である充電待ちの充電用パレットがない場合であって、外部から充電開始時刻の指定がなかった充電待ちの充電用パレットについて前記予定時刻の前倒しが可能な場合、
当該充電待ちの充電用パレットを空き状態の前記充電スペースに搬入して充電を開始させる、
ことを特徴とする機械式駐車場。
【請求項２】
前記保持部は、前記充電用パレットごとに充電にかかる予定時間を保持し、
前記管理部は、前記予定時間に所定の係数を乗じ、所定の余裕時間を加えた上限時間を超えて車両への充電がなされる場合、前記給電装置に電力の供給を停止させることを特徴とする請求項１に記載の機械式駐車場。
【請求項３】
前記決定部は、
ｉ）外部から充電開始時刻の指定がある場合、前記保持部を参照して前記充電スペースの空き予定があるか否かを確認し、
ｉｉ）前記充電スペースの空き予定がないと確認した場合、前記充電スペースの空き予定に対応する代替時刻を探索し、
前記受付部は、前記代替時刻を提示して充電開始時刻の指定を受け付け、
前記決定部は、外部から前記代替時刻の指定を受け付けた場合、当該代替時刻を前記予定時刻として決定することを特徴とする請求項１または２に記載の機械式駐車場。
【請求項４】
前記管理部は、前記充電用パレットが充電中であった場合、充電が完了するまで当該充電用パレットの移動を禁止することを特徴とする請求項１から３のいずれかに記載の機械式駐車場。
【請求項５】
前記受付部は、車両を積載したパレットを駐車室から出庫させる出庫指示と、出庫したパレットに車両が積載された状態のまま駐車室へ入庫させる再入庫指示と、を外部から受け付け、
前記管理部は、
ｉ）出庫指示がなされた充電用パレットが充電中であった場合、当該充電用パレットへの電力の供給を中断し、空き状態となる充電スペースを当該充電用パレットのために一時的に確保して、当該充電用パレットを出庫させ、
ｉｉ）充電中であった充電用パレットに再入庫指示がなされた場合、当該充電用パレットを空き状態の充電スペースに収容して充電を再開させることを特徴とする請求項１から４のいずれかに記載の機械式駐車場。
【請求項６】
複数の前記充電スペースを備え、
前記保持部は、前記充電スペースと、当該充電スペースにおいて充電が許可される充電用パレットとの対応関係を保持し、
前記管理部は、
ａ）前記充電スペースが空き状態となったとき、当該充電スペースにおいて給電が許可される充電待ちの充電用パレットがあるときは、当該充電用パレットを当該充電スペースへと搬入して充電を開始させ、
ｂ）前記充電スペースが空き状態となったとき、当該充電スペースにおいて給電が許可される充電待ちの充電用パレットがないときは、当該充電スペースでの充電を開始させないことを特徴とする請求項１から５のいずれかに記載の機械式駐車場。
【請求項７】
前記制御装置は、揺れを検知する検知部をさらに備え、
前記管理部は、前記検知部が所定の揺れを検知した場合、前記給電装置に電力の供給を停止させることを特徴とする請求項１から６のいずれかに記載の機械式駐車場。
【請求項８】
車両への充電に対応した充電用パレットと、前記充電用パレットが収容されたとき、当該充電用パレットに電力を供給する充電スペースと、を備える機械式駐車場において、
外部から充電開始時刻の指定を受け付けるステップと、
ａ）外部から充電開始時刻の指定があった場合、指定された充電開始時刻を充電開始の予定時刻として決定し、
ｂ）外部から充電開始時刻の指定がない場合、前記充電スペースの空き予定を確認し、その空き予定に対応した開始時刻を前記予定時刻として決定するステップと、
前記充電スペースが空き状態となったとき、
ｉ）前記予定時刻が現在時刻以降である充電待ちの充電用パレットがある場合、および、
ｉｉ）前記予定時刻が現在時刻以降である充電待ちの充電用パレットがない場合であって、外部から充電開始時刻の指定がなかった充電待ちの充電用パレットについて前記予定時刻の前倒しが可能な場合、
当該充電待ちの充電用パレットを空き状態の前記充電スペースに搬入して充電を開始させるステップと、
を備えることを特徴とする機械式駐車場の制御方法。
【発明の詳細な説明】
【技術分野】
【０００１】
本発明は、機械式駐車場および機械式駐車場の制御方法に関する。
【背景技術】
【０００２】
少ないスペースで多数の車両を効率的に駐車できる駐車場として、機械式駐車場が知られている。その一つとしてパレットの上に車両を載置し、このパレットを前後或いは左右にレールや溝を利用して移動させることにより、空いているパレットスペースへ運ぶパレット式の機械式駐車場が提供されている。また、このパレット式の機械式駐車場にリフト及び立体的な駐車層を組み合わせることにより、より駐車効率を高めた機械式駐車場も提供されている。
【０００３】
一方、低騒音でクリーンな電気自動車やプラグインハイブリッド車（以下ＥＶ車と総称する）が普及し始めている。ＥＶ車はそれに搭載されているリチウムイオン電池などの二次電池からの電力を動力源としている。この二次電池を充電するためには、現状数十分から数時間の充電時間が必要である。そこで、機械式駐車場に用意される所定の給電駐車スペースにＥＶ車を収容し、駐車している時間を利用してＥＶ車の二次電池を充電する技術が提案されている（例えば、特許文献１参照）。
【先行技術文献】
【特許文献】
【０００４】
【特許文献１】特開２０１０−１５６１１６号公報
【発明の概要】
【発明が解決しようとする課題】
【０００５】
ＥＶ車へ充電する時間帯についての要望として、電気料金が比較的安い深夜などに充電をして費用を抑えたい場合や、時間をおかずにすぐ充電させたい場合などがある。充電する時間帯についての様々な要望を満たすためには、駐車可能なＥＶ車の台数に応じて充電できる駐車スペースを増やせばよいが、そうすると、充電設備が増えることとなりコストの増大を招くこととなる。
【０００６】
本発明はこうした状況に鑑みてなされたものであり、その目的は、限られた数の充電スペースを有効利用し、ユーザの要望に沿った時間帯に車両へ充電する機械式駐車場の提供にある。
【課題を解決するための手段】
【０００７】
本発明のある態様は機械式駐車場に関する。この機械式駐車場は、車両への充電に対応した充電用パレットを含む、車両積載用の複数のパレットと、それぞれがパレットを収容する複数の駐車スペースが配列される駐車室と、駐車スペースの間でパレットを移動させる搬送装置と、搬送装置の動作を制御する制御装置と、複数の駐車スペースのうち、充電スペースとして利用される駐車スペースに充電用パレットが収容されたとき、当該充電用パレットに電力を供給する給電装置と、を備える。制御装置は、受付部と、保持部と、決定部と、管理部と、を備える。受付部は、外部から車両への充電開始時刻の指定を受け付け、保持部は、充電用パレットごとに充電を開始する予定時刻を保持し、決定部は、外部から充電開始時刻の指定があった場合、指定された充電開始時刻を予定時刻として決定し、外部から充電開始時刻の指定がない場合、保持部を参照して充電スペースの空き予定を確認し、その空き予定に対応した開始時刻を予定時刻として決定し、管理部は、充電スペースが空き状態となったとき、保持部に保持される予定時刻が現在時刻以降である充電待ちの充電用パレットがある場合、および、保持部に保持される予定時刻が現在時刻以降である充電待ちの充電用パレットがない場合であって、外部から充電開始時刻の指定がなかった充電待ちの充電用パレットについて予定時刻の前倒しが可能な場合、当該充電待ちの充電用パレットを空き状態の充電スペースに搬入して充電を開始させる。
【０００８】
この態様によると、限られた数の充電スペースを有効利用し、ユーザの要望に沿った時間帯に車両への充電をすることができる。
【０００９】
本発明の別の態様は、機械式駐車場の制御方法である。この方法は、車両への充電に対応した充電用パレットと、充電用パレットが収容されたとき、当該充電用パレットに電力を供給する充電スペースと、を備える機械式駐車場において、外部から充電開始時刻の指定を受け付けるステップと、外部から充電開始時刻の指定があった場合、指定された充電開始時刻を充電開始の予定時刻として決定し、外部から充電開始時刻の指定がない場合、充電スペースの空き予定を確認し、その空き予定に対応した開始時刻を予定時刻として決定するステップと、充電スペースが空き状態となったとき、予定時刻が現在時刻以降である充電待ちの充電用パレットがある場合、および、予定時刻が現在時刻以降である充電待ちの充電用パレットがない場合であって、外部から充電開始時刻の指定がなかった充電待ちの充電用パレットについて予定時刻の前倒しが可能な場合、当該充電待ちの充電用パレットを空き状態の充電スペースに搬入して充電を開始させるステップと、を備える。
【００１０】
なお、以上の構成要素の任意の組み合わせや、本発明の構成要素や表現を装置、方法、システム、コンピュータプログラム、コンピュータプログラムを格納した記録媒体などの間で相互に置換したものもまた、本発明の態様として有効である。
【発明の効果】
【００１１】
本発明によれば、限られた数の充電スペースを有効利用し、ユーザの要望に沿った時間帯に車両へ充電する機械式駐車場を提供できる。
【図面の簡単な説明】
【００１２】
【図１】実施形態に係る機械式駐車場の正面図である。
【図２】図１のＢ１Ｆ駐車室の平面図である。
【図３】車両を入出庫する際に操作盤のタッチパネルに表示される画面図である。
【図４】充電予約をする際に表示される画面図である。
【図５】充電予約パターンを選択する画面図である。
【図６】充電開始時刻を指定する画面図である。
【図７】指定した充電開始時刻に空き予定がない場合に表示される画面図である。
【図８】充電予約を受け付けた際に表示される画面図である。
【図９】制御装置の機能および構成を示すブロック図である。
【図１０】予約情報保持部に保持される予定情報の一例を示す図である。
【図１１】充電スペースの空き予定を模式的に示す図である。
【図１２】充電予約を前倒して実施する場合の予定を模式的に示す図である。
【図１３】充電予約の処理の流れを示すフローチャートである。
【図１４】充電用パレットへの充電を開始させる処理の流れを示すフローチャートである。
【図１５】車両を出庫させる処理の流れを示すフローチャートである。
【図１６】第２の実施形態に係る制御装置の機能および構成を示すブロック図である。
【図１７】許可属性保持部が保持する許可属性情報の一例を示す図である。
【図１８】予約情報保持部に保持される属性情報の一例を示す図である。
【発明を実施するための形態】
【００１３】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して示す。
【００１４】
本実施形態にかかる機械式駐車場は、乗降室に進入した車両をパレットに積載し、パレットを所定の駐車スペースに収容して駐車させるパレット式の駐車場である。一部の駐車スペースは、ＥＶ車への充電に対応した充電スペースとなっており、駐車場に停める時間を利用してＥＶ車への充電を行う。機械式駐車場は、利用者の要望に応じて充電予約を受け付ける。充電予約のパターンとして、充電開始時刻を指定する「予約充電パターン」と、充電開始時刻を指定せず、できるだけ早くに充電を開始させる「適時充電パターン」が用意される。２種類の予約パターンを用意することで、ＥＶ車をすぐ使えるよう早く充電したい場合や、電気料金の安い深夜に充電したい場合など、ユーザの要望に沿った時間帯に車両へ充電する。これにより、ＥＶ車を利用するユーザの利便性を高める。
【００１５】
（第１の実施形態）
図１は、第１の実施形態に係る機械式駐車場１０の正面図である。図２は、Ｂ１Ｆ駐車室１４の平面図である。本実施形態に係る機械式駐車場１０は、地上に設けられた建物２４の地下に、地下１階から地下３階まで駐車室が設けられた、いわゆる地下式の機械式駐車場である。
【００１６】
機械式駐車場１０は、乗降室１２と、地下１階の駐車室であるＢ１Ｆ駐車室１４と、地下２階の駐車室であるＢ２Ｆ駐車室１６と、地下３階の駐車室であるＢ３Ｆ駐車室１８と、操作盤２８と、制御装置３０と、複数の通常パレット３２と、複数の充電用パレット１００と、給電装置４２と、第１搬送装置５６と、複数の第２搬送装置５８と、リフトフレーム８８と、４本のマスト９０と、昇降装置９４と、昇降路９６と、を備える。
【００１７】
乗降室１２は、建物２４に設けられ、車両２０を機械式駐車場１０へ入庫させ、機械式駐車場１０から出庫させるために用いる。乗降室１２は、昇降路９６の上端に設けられ、乗降室１２と昇降路９６とは、通常パレット３２および充電用パレット１００（以下、総称する場合はパレットともいう）が通過できる程度の大きさの連通孔２６を介して連結される。
【００１８】
昇降路９６は、鉛直方向（ｚ方向）に沿って設けられ、Ｂ１Ｆ駐車室１４、Ｂ２Ｆ駐車室１６、Ｂ３Ｆ駐車室１８のそれぞれと連通する。昇降路９６の下端には、リフトフレーム８８を昇降させる昇降装置９４が設置される。昇降路９６の四隅には、４本のマスト９０が設けられる。
【００１９】
リフトフレーム８８は、４本のマスト９０に昇降自在に支持され、昇降装置９４により昇降路９６に沿って昇降する。リフトフレーム８８の上部には第１搬送装置５６が設けられる。なお、リフトフレーム８８、４本のマスト９０、および昇降装置９４には、本出願人が先に出願した特開２００９−１９７４１７号公報に記載のリフトフレーム、４本のマスト、昇降装置、をそれぞれ適用することができる。
【００２０】
通常パレット３２および充電用パレット１００は、平板状の部材であり、車両２０が搭載される上面である車両積載面３２ａ、１００ａが略矩形の形状を有する。通常パレット３２および充電用パレット１００は画一的な大きさを有し、１基のパレットに１台の車両が積載可能となる大きさを有する。
【００２１】
充電用パレット１００は、コンセント１０２と、受電ユニット１０４と、を備える。コンセント１０２は、充電用パレット１００の四隅のいずれかに設けられ、ＥＶ車２２の給電口１０８につなぐ給電ケーブル１１０が接続される。なお、ＥＶ車の種類によって異なる位置に設けられる給電口１０８に対応できるよう、コンセント１０２が左側に設けられる充電用パレット１００と、コンセント１０２が右側に設けられる充電用パレット１００の２種類が設けられる。
【００２２】
受電ユニット１０４は、充電用パレット１００の長辺に設けられ、充電用パレット１００が充電スペース５２に収容された場合に、給電装置４２の給電ユニット４４と電気的に接続される。受電ユニット１０４は、コンセント１０２と電気的に接続されており、給電装置４２から供給される電力を受電し、コンセント１０２及び給電ケーブル１１０を介してＥＶ車２２へ供給する。
【００２３】
第１搬送装置５６は、リフトフレーム８８の上部に設けられ、パレットをｘ方向に移動させる。第１搬送装置５６により、パレットは、昇降路９６と各駐車室との間を移動する。第２搬送装置５８は、駐車スペース５０のそれぞれに設けられ、パレットをｘ方向またはｙ方向に移動させる。第２搬送装置５８により、パレットは駐車スペースの間を移動する。なお、第２搬送装置５８には、本出願人が先に出願した特公平７−２９６８１号公報に記載の搬送装置を適用することができる。
【００２４】
Ｂ１Ｆ駐車室１４は、ｘ方向に５列、ｘ方向と交差するｙ方向に２行配列される１０の駐車スペース５０を有する。隣接する駐車スペース５０の間には、パレットが駐車スペース５０をまたいで移動する際に支持する転倒防止ローラ３８が設置される。なお、Ｂ２Ｆ駐車室１６およびＢ３Ｆ駐車室１８は、Ｂ１Ｆ駐車室１４と同様の構成をとる。
【００２５】
駐車スペース５０は、パレット１基を収容可能に構成される。駐車スペース５０は、車両２０を積載するパレットを収容することにより車両２０が駐車される駐車室内の１駐車領域である。
【００２６】
充電スペース５２は、給電を要するＥＶ車２２への給電が可能な駐車スペース５０である。充電スペース５２には、充電スペース５２に収容される充電用パレット１００に電力を供給する給電装置４２が設けられる。充電スペース５２は、例えば、各駐車室に含まれる複数の駐車スペース５０のうち、昇降路９６から最も遠い位置となる２箇所に配置される。パレットのパズル動作を決定する際に、昇降路９６から遠い位置の駐車スペースほど、パレットを移動させる必要性が少ないためである。
【００２７】
給電装置４２は、外部電源から得られる電力をＥＶ車２２の充電に好適な電圧に変換して充電用パレット１００に供給する。例えば、給電装置４２は単相交流２００Ｖまたは１００Ｖの電力を供給する。給電装置４２は、充電用パレット１００と電気的に接続するための給電ユニット４４を有する。給電ユニット４４は、充電用パレット１００が充電スペース５２に収容されると、充電用パレット１００が有する受電ユニット１０４の受電端子と機械的に接触する。すると、給電装置４２から充電用パレット１００に電力が供給され、コンセント１０２及び給電ケーブル１１０を介してＥＶ車２２が充電される。
【００２８】
なお、機械式駐車場１０のパズル動作により通常パレット３２が充電スペース５２に収容される場合もあるが、通常パレット３２は受電ユニット１０４を備えないため、給電装置４２から通常パレット３２へ電力は供給されない。
【００２９】
操作盤２８は、車両のドライバまたは機械式駐車場１０の係員に対するユーザインタフェースとしての機能を有する。操作盤２８はタッチパネルを有する。車両の入出庫の際、操作盤２８はタッチパネルを介して、車両を特定する識別番号である車両管理番号の入力を求める。操作盤２８は、制御装置３０と接続されており、タッチパネルに入力された操作に応じて制御装置３０に制御信号を送信するとともに、制御装置３０からの制御信号を受信してタッチパネルに必要な情報を表示させる。
【００３０】
図３は、車両を入出庫する際に操作盤２８のタッチパネル６０に表示される画面図である。この入出庫画面には、入力された車両管理番号を表示する番号表示領域６１と、テンキー６２と、入庫ボタン６３と、出庫ボタン６４と、が表示される。
【００３１】
入庫の際、ドライバまたは係員は、入庫対象の車両を乗降室１２の外に停車させて操作盤２８を操作する。ドライバまたは係員は、テンキー６２を押下することで自己の車両の車両管理番号を番号表示領域６１に表示させ、入庫ボタン６３を押下する。操作盤２８は、入庫ボタン６３が押下されると、入力された車両管理番号を含む入庫要求信号を生成し、制御装置３０に送信する。入庫要求がなされると、乗降室１２に車両の積載されていない空のパレットが用意される。
【００３２】
乗降室１２に空のパレットが用意された場合、入庫対象の車両を乗降室１２に進入させてパレットに積載させる。乗降室１２の内部に人がいないことを確認し、入庫準備ができた場合、タッチパネル６０を操作して入庫指示をする。操作盤２８は、入庫指示の操作がなされると、入庫指示信号を生成し、制御装置３０に送信する。
【００３３】
出庫の際、ドライバまたは係員は、テンキー６２を押下して自己の車両の車両管理番号を番号表示領域６１に表示させ、出庫ボタン６４を押下する。操作盤２８は、出庫ボタン６４が押下されると、入力された車両管理番号を含む出庫指示信号を生成し、制御装置３０に送信する。出庫指示がなされると、入力された車両管理番号に対応する車両が積載されたパレットが乗降室１２に現れる。乗降室１２に現れた車両が乗降室１２の外へ移動した場合、出庫が確定する。
【００３４】
なお、車両の中の忘れ物を取り出したいときなど、一時的に車両を乗降室１２に呼び出すために出庫した場合には、車両を乗降室１２の外へ移動させることなく、そのまま再入庫させることもできる。この場合、車両が乗降室１２に現れた後に、タッチパネル６０を操作して入庫指示をすればよい。
【００３５】
図４は、充電予約をする際に表示される画面図である。入庫対象の車両がＥＶ車である場合、入庫時にこの画面を操作して充電予約をする。ＥＶ車への充電が必要な場合、ドライバまたは係員は、通常充電ボタン６６または急速充電ボタン６７を押下して充電方法を選択する。充電の必要がない場合、充電不要ボタン６８を押下する。操作盤２８は、選択された充電方法に対応する充電方法受付信号を生成し、制御装置３０に送信する。
【００３６】
図５は、充電予約パターンを選択する画面図であり、図４において通常充電ボタン６６または急速充電ボタン６７が押下された場合に表示される。ＥＶ車への充電開始時刻を指定したい場合、ドライバまたは係員は、予約充電ボタン７０を押下する。一方、充電開始時刻を指定せずに充電をしたい場合、適時充電ボタン７１を押下する。操作盤２８は、適時充電ボタン７１が押下された場合、適時充電パターンが選択されたことを示す適時充電受付信号を生成し、制御装置３０に送信する。予約充電ボタン６５が押下された場合、次に示す画面を表示する。
【００３７】
図６は、充電開始時刻を指定する画面図であり、図５の画面において予約充電ボタン７０を押下した場合に表示される。ドライバまたは係員は、テンキー６２を押下して指定したい充電開始時刻を指定時刻表示領域７４に表示させ、決定ボタン７５を押下する。操作盤２８は、決定ボタン７５が押下された場合、指定された充電開始時刻を含む予約充電受付信号を生成し、制御装置３０に送信する。充電予約を取り消したい場合には、取消ボタン７６を押下する。
【００３８】
図７は、指定した充電開始時刻に空き予定がない場合に表示される画面図である。この画面は、図６の画面において充電開始時刻を指定し、その指定時刻に対応する充電スペースの空き予定がない場合に表示する。操作盤２８は、代替時刻に関する通知を制御装置３０から受信した場合に、指定時刻での充電予約ができない旨を示すとともに、予約可能な充電開始時刻として制御装置３０から通知された代替時刻を示す画面を表示させる。
【００３９】
ドライバまたは係員は、提示された代替時刻を充電開始時刻として指定する場合には予約充電ボタン７０を押下する。この場合、操作盤２８は、予約充電受付信号を生成して制御装置３０に送信する。一方、開始時刻の指定を行わない場合には適時充電ボタン７１を押下する。この場合、操作盤２８は、適時充電受付信号を生成して制御装置３０に送信する。
【００４０】
図８は、充電予約を受け付けた際に表示される画面図である。図５において適時充電ボタン７１が押下された場合や、図６において決定ボタン７５が押下された場合、図７において予約充電ボタン７０または適時充電ボタン７１が押下された場合に、この受付完了画面を表示する。操作盤２８は、制御装置３０から充電を開始する予定時刻の通知を受け、その予定時刻を表示する。これにより、充電開始時刻を指定した場合のみならず、充電開始時刻を指定しなかった場合にも、充電開始時刻の目安を通知する。なお、制御装置３０から充電にかかる予定時間の通知を受ける場合には、予定時刻のみならず、予定時間を併せて表示してもよい。
【００４１】
図９は、制御装置３０の機能および構成を示すブロック図である。ここに示す各ブロックは、ハードウエア的には、コンピュータのＣＰＵ（Central Processing Unit）をはじめとする素子や機械装置で実現でき、ソフトウエア的にはコンピュータプログラム等によって実現されるが、ここでは、それらの連携によって実現される機能ブロックを描いている。したがって、これらの機能ブロックはハードウエア、ソフトウエアの組合せによっていろいろなかたちで実現できることは、本明細書に触れた当業者には理解されるところである。
【００４２】
制御装置３０は、受付部１１２と、決定部１１４と、管理部１１６と、検知部１１８と、保持部１２０と、を備える。保持部１２０は、車両情報保持部１２２と、予約情報保持部１２４と、を備える。
【００４３】
車両情報保持部１２２は、車両管理番号と、車両管理番号によって特定される車両の種別と、を対応付けて保持する。車両の種別として、ＥＶ車であるか否かの情報を保持する。ＥＶ車である場合には、給電口の位置情報や、充電にかかる予定時間として、急速充電に必要な時間および通常充電に必要な時間を保持する。例えば、急速充電に必要な時間として３０分、通常充電に必要な時間として５時間が保持される。なお、必要な充電時間は、ＥＶ車の型式や、ＥＶ車に搭載される電池容量などにより適切な値を設定することが望ましい。
【００４４】
図１０は、予約情報保持部１２４に保持される予定情報の一例を示す図である。予約情報保持部１２４は、充電用パレットごとに積載するＥＶ車への充電予約に関する予定情報を保持する。予約情報保持部１２４は、予定情報として、パレット番号と、車両管理番号と、予約パターンと、充電方法と、予定時刻と、予定時間と、入庫時刻と、充電状態と、を保持する。
【００４５】
本図では、充電用パレットが７基登録されており、そのうちの６基に充電予約のされたＥＶ車に関する予定情報が登録されている状態を示している。パレット番号は、個々のパレットを識別するための識別番号である。本実施例では、複数の充電用パレットを識別するために、個々の充電用パレットに対応して「１」〜「７」の番号が付与される。予約パターンは、充電予約方法として開始時刻の指定がされるか否かを識別するものであり、「予約充電」または「適時充電」が設定される。充電方法は、通常充電または急速充電が設定される。充電状態は、車両への充電がなされたか否かを示すステータスであり、「充電待ち」、「充電中」、「充電中断」、「充電済み」が設定される。
【００４６】
図９に戻り、受付部１１２は、操作盤２８から送信される制御信号を受信するとともに、タッチパネル６０に表示すべき情報を含む制御信号を操作盤２８に送信する。受付部１１２は、操作盤２８から入庫要求信号や入庫指示信号、出庫指示信号を受信した場合、その内容を管理部１１６に通知する。受付部１１２は、操作盤２８から充電予約に関する受付信号を受信した場合、その内容を決定部１１４に通知する。受付部１１２は、決定部１１４から予定時刻の通知を受けた場合、その予定時刻を含む制御信号を操作盤２８に送信する。
【００４７】
決定部１１４は、受付部１１２が受信した制御信号をもとに、充電にかかる予定時間を決定するとともに、予約情報保持部１２４を参照して予定時間が確保しうる充電スペースの空き予定を確認し、空き予定に対応する充電開始の予定時刻を決定する。
【００４８】
決定部１１４は、充電方法受付信号を受信した場合、車両情報保持部１２２を参照して選択された充電方法での充電に必要な予定時間を決定する。例えば、急速充電が選択されたことを示す受付信号を受信した場合、充電にかかる予定時間を３０分とし、通常充電が選択されたことを示す受付信号を受信した場合、予定時間を５時間とする。決定部１１４は、決定した予定時間を用いて充電スペースの空き予定を確認する。
【００４９】
図１１は、充電スペースの空き予定を模式的に示す図であり、図１０に示す予定情報を時系列上に配置した予定表である。本図では、２箇所の充電スペースＡ、Ｂが設けられる場合の空き予定を示しており、予約充電パターンの予定情報を白抜きで、適時充電パターンの予定情報を網掛けで示している。決定部１１４は、予約充電受付信号を受信した場合、予約情報保持部１２４を参照して、指定された充電開始時刻にて充電スペースの空きが確保できるかを確認する。決定部１１４は、充電開始時刻から予定時間が経過するまでの時間帯に重複して登録されている予定情報の数をカウントし、そのカウント数が充電スペース数未満である場合には、充電スペースの空きが確保できると判断する。
【００５０】
例えば、充電開始時刻として２２時が指定され、急速充電にかかる予定時間として３０分が必要である場合、決定部１１４は、図１１の「指定１」の時間帯と重複して登録されている予定情報の数をカウントする。この場合、重複する予定情報はパレット番号が「１」の予定情報だけであるため、カウント数は１となり、充電スペース数未満となる。したがって、「指定１」の時間帯は充電スペースの空きが確保できると判断する。
【００５１】
一方、充電開始時刻として２３時が指定され、急速充電にかかる予定時間として３０分が必要である場合、決定部１１４は、図１１の「指定２」の時間帯と重複して登録されている予定情報の数をカウントする。この場合、重複する予定情報として、パレット番号が「１」の予定情報と、パレット番号が「３」の予定情報とがあるため、カウント数は２となり、充電スペース数未満とならない。したがって、「指定２」の時間帯は充電スペースの空きが確保できないと判断する。
【００５２】
決定部１１４は、予約情報保持部１２４に保持されている充電スペースの空きが確保できる場合には、その充電開始時刻を予定時刻として決定し、受付部１１２に通知する。一方、充電スペースの空きが確保できない場合には、充電スペースの空きが確保できる代替時刻を探索し、探索した代替時刻を受付部１１２に通知する。
【００５３】
決定部１１４は、代替時刻として複数の候補が見つかる場合には、指定された充電開始時刻に近い時刻を優先して通知する。例えば、図１１の「指定２」の時間帯で空きが確保できなかった場合、予定時間である３０分が確保でき、かつ、予定時刻の２３時に最も近い開始時刻として、「代替」の時間帯に対応する開始時刻である２２時３０分を代替時刻として通知する。
【００５４】
また、決定部１１４は、適時充電受付信号を受信した場合、予約情報保持部１２４を参照して、充電スペースの空きが確保できる開始時刻を探索する。決定部１１４は、探索した開始時刻を充電開始の予定時刻として決定し、受付部１１２に通知する。なお、決定部１１４は、充電スペースの空きが確保可能なできるだけ早い時刻を予定時刻として決定する。
【００５５】
例えば、２１時４０分に適時充電パターンによる充電予約があり、急速充電にかかる予定時間として３０分が必要である場合、図１１に示す空き予定において充電スペースの空きが最も早く確保できる時間帯は２２時からの３０分間である。したがって、決定部１１４は、充電開始の予定時刻を２２時と決定する。なお、２３時に同様の充電予約があった場合、決定部１１４は、充電開始の予定時刻を１時３０分とする。
【００５６】
決定部１１４は、予定時刻を決定した場合、決定した内容に対応する予定情報を予約情報保持部１２４に登録する。このとき、決定部１１４は、充電状態を「充電待ち」として予定情報を登録する。
【００５７】
図９に戻り、管理部１１６は、第１搬送装置５６、第２搬送装置５８、昇降装置９４を制御し、所定のパレットを乗降室１２または特定の駐車スペース５０へと移動させる。管理部１１６は、パレットの移動に必要な機械式駐車場１０内でのパレットの動きを公知のパズル動作のアルゴリズムを使用して決定する。このとき、充電中の充電用パレットがある場合には、その充電用パレットの移動を禁止し、充電中のパレット以外のパレットを移動させるパズル動作を決定する。管理部１１６は、決定されたパレットの動きが実現されるよう第１搬送装置５６、第２搬送装置５８、昇降装置９４に指令を送信する。
【００５８】
管理部１１６は、入庫要求信号を受信した場合、車両が積載されていない空のパレットを乗降室１２に移動させる。管理部１１６は、車両情報保持部１２２を参照して入庫要求信号に含まれる車両管理番号に対応する車両の種別を確認し、通常パレット３２または充電用パレット１００をいずれかを選択する。車両がＥＶ車であり、給電口の位置情報が登録されている場合には、給電口の位置に対応する側にコンセントが設けられる充電用パレット１００を選択する。管理部１１６は、入庫指示信号を受信した場合、車両が積載されたパレットを所定の駐車スペースに移動させる。
【００５９】
管理部１１６は、充電スペースが空き状態となった場合、予約情報保持部１２４を参照して、充電を開始すべき充電用パレットを空いている充電スペースに移動させて充電を開始させる。複数の充電スペースに空きがある場合には、充電用パレットが収容されている駐車スペースから近い充電スペースに収容する。また、充電を開始させる充電用パレットに対応する予定情報の充電状態を「充電中」に変更する。
【００６０】
管理部１１６は、充電スペースの空き状態が継続している場合、定期的に充電を開始すべき充電用パレットがあるかを確認し、条件を満たす充電用パレットがある場合には、そのパレットの充電を開始させる。定期的に確認する時間間隔は例えば５分である。また、定期的な確認タイミング以外にも、機械式駐車場１０への入出庫や、予約時間の変更処理などが行われたタイミングに充電開始すべき充電用パレットの確認を行う。
【００６１】
管理部１１６は、予約情報保持部１２４に保持される予定時刻が現在時刻以降である充電待ちの充電用パレットがあるか確認し、条件を満たす充電用パレットがあれば、その充電用パレットを充電開始すべき充電用パレットとする。このとき、条件を満たす充電用パレットが複数ある場合には、予定時刻が古い充電用パレットを優先する。
【００６２】
一方、予約情報保持部１２４に保持される予定時刻が現在時刻以降である充電待ちの充電用パレットがない場合、管理部１１６は、予約モードが「適時充電」である充電用パレットについて充電開始時刻の前倒しが可能であるかを確認する。入庫時に決められた予定時間と実際に充電にかかる実績時間は、必ずしも一致しないため、予定よりも早くに充電スペースが空き状態となる可能性がある。また、充電待ちの車両が充電されずに出庫される場合には、その車両のために確保していた時間帯に充電スペースの空きが生じる。このような場合に、充電開始時刻が指定されていない適時充電モードの充電予約について充電開始時刻の前倒しを行い、より早く充電が開始されるようにする。なお、複数の予定情報が前倒し可能である場合、入庫時刻が古い予定情報を優先して前倒しする。
【００６３】
図１２は、充電予約を前倒して実施する場合の予定を模式的に示す図である。本図の上段は、予約の前倒し前の充電スペースＢの予定を示し、下段は、前倒し後の実績を示す。前倒し前の予定では、パレット番号が「２」の予定情報として開始時刻の１７時１０分から５時間の予定時間が設定されているため、充電スペースＢは２２時１０分に空く予定となっている。下段に示す実績では、パレット番号が「２」の充電用パレットの充電が予定よりも早い２１時４０分に完了し、充電スペースＢは、２１時４０分から空き状態となっている。
【００６４】
管理部１１６は、２１時４０分の時点で予定時刻が現在時刻以降となる充電待ちの充電用パレットがないため、予約パターンが「適時充電」であって「充電待ち」の予定情報であるパレット番号「４」と「５」について前倒しの可否を確認する。パレット番号「４」および「５」の予定情報には、予定時間として１時間が設定されているため、パレット番号「３」の充電用パレットの充電が開始される２３時までの時間帯に前倒しが可能と判断する。管理部１１６は、入庫時刻が古い予定情報の前倒しを優先するため、入庫時刻の古いパレット番号「４」の予定情報を前倒して、パレット番号「４」の充電用パレットを充電開始すべき充電用パレットとする。
【００６５】
管理部１１６は、充電スペースに収容される車両への充電が完了した場合、充電用パレットを充電スペースの外へと移動させ、所定の駐車スペースに収容させる。また、充電が完了した充電用パレットに対応する予定情報の充電状態を「充電済み」に変更する。
【００６６】
なお、車両への充電が完了したか否かについては、給電装置４２が供給する電力の電流値や、充電を実施した実績時間などにより判断する。例えば、時間により充電完了の判断をする場合、充電を実施した実績時間が、特定の充電上限時間を超えた場合に充電を終了する。これにより、当初予定していた予定時間を大幅に超えて充電が継続されることを防ぐ。充電上限時間は、下記の式で算出する。
（充電上限時間）＝（予定時間）×（係数）＋（余裕時間）
ここで、予定時間は、予約情報保持部１２４に保持される予定時間であり、充電用パレットごとに設定される値である。係数および余裕時間は、車両によらず一律で予め設定される値である。係数は、充電上限時間を予定時間に比例させるために設定される値であり、１以上の値が設定される。例えば１．１や、１．５とすればよい。余裕時間は、一律で加算される時間であり、例えば、５分〜３０分程度とすればよい。
【００６７】
管理部１１６は、出庫要求信号を受信した場合、出庫要求信号に含まれる車両管理番号に対応する車両が積載されたパレットを乗降室１２に移動させる。その後、車両が乗降室１２の外へ移動し、乗降室１２の充電用パレットが車両を積載しない状態となって出庫が確定した場合、管理部１１６は、予約情報保持部１２４から対応する予定情報を削除する。
【００６８】
なお、出庫要求がなされた車両が充電中である場合、管理部１１６は、車両への充電を中断し、充電用パレットを乗降室１２に移動させる。このとき、管理部１１６は、充電を中断した充電用パレットに対応する予定情報の充電状態を「充電中断」に変更するとともに、充電を中断した充電用パレットのために充電スペースを一時的に確保する。例えば、充電用パレットが収容されていた充電スペースにて、他の充電用パレットが充電を開始することを一時的に禁止する。充電を中断した充電用パレットが再入庫された場合、再入庫後に充電をすぐ再開できるようにするためである。
【００６９】
一方、充電を中断した充電用パレットについて出庫が確定した場合、一時的に確保していた充電スペースを解放し、充電待ちの充電用パレットが利用できるようにする。また、再入庫時に充電予約の設定を変更した場合にも、一時的に確保していた充電スペースを解放する。新たな充電予約が設定されるため、他の充電待ちの充電用パレットよりも優先して充電を再開させる必要性がなくなる場合があるためである。
【００７０】
図９に戻り、検知部１１８は、駐車室に設けられる地震計からの信号を受信し、地震等による所定の揺れを検知したときに、安全のため、給電装置４２から充電用パレットへの電力供給を停止させる。充電中に揺れが生じると、給電端子に接触する受電端子が、電流が流れている状態で一時的に外れてしまう可能性があるためである。なお、検知した揺れの最大値が所定未満であり、その揺れが収まった場合には、停止させていた給電装置４２から充電用パレットへの電力供給を再開させてもよい。
【００７１】
以上の構成による機械式駐車場１０の動作を説明する。
図１３は、充電予約の処理の流れを示すフローチャートである。車両の入庫を受け付け（Ｓ１０）、その車両への充電予約がされる場合（Ｓ１２のＹ）、充電にかかる予定時間を確認する（Ｓ１４）。充電開始時刻の指定がある場合（Ｓ１６のＹ）、指定された開始時刻において充電スペースの空き予定があるかを確認する（Ｓ１８）。充電スペースの空き予定がある場合（Ｓ１８のＹ）、予約充電パターンとして予定情報を登録する（Ｓ２０）。指定された開始時刻において充電スペースの空き予定がなかった場合には（Ｓ１８のＮ）、充電スペースが確保できる代替時刻を探索して提示する（Ｓ２２）。提示した代替時刻が充電開始時刻として指定された場合（Ｓ２４のＹ）、予約充電パターンとして予定情報を登録する（Ｓ２０）。
【００７２】
充電開始時刻の指定がなかった場合（Ｓ１６のＮ）や、代替時刻を充電開始時刻として指定しない場合（Ｓ２４のＮ）、充電スペースの空き予定を確認して充電開始の予定時刻を決定し（Ｓ２６）、適時充電パターンとして予定情報を登録する（Ｓ２８）。車両の充電予約をしない場合（Ｓ１２のＮ）、Ｓ１４以降のステップをスキップする。
【００７３】
図１４は、充電用パレットへの充電を開始させる処理の流れを示すフローチャートである。予定時刻が現在時刻以降であって充電待ちの予定情報があるかを確認し、予定時刻を超過した予定情報がある場合（Ｓ３２のＹ）、その予定情報に対応する充電用パレットのうち、予定時刻が古い充電用パレットを充電スペースに移動させて充電を開始させる（Ｓ３４）。
【００７４】
予定時刻を超過した予定情報がない場合（Ｓ３２のＮ）、適時充電パターンであって充電待ちの予定情報があるかを確認する（Ｓ３６）。適時充電パターンであって充電待ちの予定情報がある場合（Ｓ３６のＹ）、充電スペースの空き予定を確認して充電開始時刻の前倒しが可能であるか確認する（Ｓ３８）。開始時刻の前倒しが可能である場合には（Ｓ３８のＹ）、前倒しが可能な予定情報に対応する充電用パレットのうち、入庫時刻が古い充電用パレットを充電スペースに移動させ、予定時刻より前倒しで充電を開始させる（Ｓ４０）。適時充電パターンであって充電待ちの予定情報がない場合（Ｓ３６のＮ）や、充電開始時刻の前倒しができない場合（Ｓ３８のＮ）、本フローを終了する。
【００７５】
図１５は、車両を出庫させる処理の流れを示すフローチャートである。車両の出庫指示を受け付けると（Ｓ５０）、出庫指示対象の車両が充電中であるか確認する（Ｓ５２）。充電中であった場合（Ｓ５２のＹ）、車両への充電を中断して充電状態を「充電中断」とし（Ｓ５４）、その車両の充電に使用していた充電スペースを再入庫に備えて一時的に確保する（Ｓ５６）。車両が充電中でない場合には（Ｓ５２のＮ）、Ｓ５４、Ｓ５６のステップをスキップする。
【００７６】
出庫指示がされた車両が再入庫された場合であって（Ｓ５８のＹ）、再入庫時に充電予約の設定が変更されず（Ｓ６０のＹ）、充電状態が「充電中断」であった場合（Ｓ６２のＹ）、その車両を一時的に確保していた充電スペースへ移動させ（Ｓ６４）、充電を再開させる（Ｓ６６）。充電状態が「充電中断」でない場合（Ｓ６２のＮ）、再入庫させる車両を所定の駐車スペースに移動させる。再入庫時に充電予約の設定が変更された場合には（Ｓ６０のＮ）、充電予約の予定情報を更新し（Ｓ６８）、所定の駐車スペースへ移動させる（Ｓ７０）。出庫指示がなされた車両が乗降室の外へ移動し、出庫が確定した場合（Ｓ５８のＮ）、出庫確定処理として、一時的に確保していた充電スペースがある場合にはそれを解放し、その車両に対応する充電予約の予定情報をクリアする（Ｓ７２）。
【００７７】
本実施形態に係る機械式駐車場１０では、ＥＶ車を入庫させるときに充電開始時刻を指定して充電予約をすることができるため、ユーザの要望に沿った時間帯に車両への充電をすることができる。また、充電開始時刻を指定しない場合にも、入庫時に充電開始の予定時刻としてできるだけ早い時刻が決定されるため、その後に入庫されるＥＶ車が開始時刻を指定して充電予約したとしても、その時刻よりも早い時刻に充電を開始させることができる。
【００７８】
また、指定した充電開始時刻に充電スペースの空き予定がない場合に代替時刻を探索して提示するため、充電スペースの空き時間が見つかるまで何度も開始時刻を指定して予約可能な時間を探す手間を省くことができる。
【００７９】
本実施形態に係る機械式駐車場１０では、充電スペースの空き予定に応じて、充電開始時刻が指定されなかった車両について、入庫時に決定した予定時刻よりも前倒して充電を開始させるため、より早い時刻に充電を開始させることができる。また、充電開始時刻が指定された車両については、充電開始時刻の前倒しをしないため、指定された予定時刻に充電を開始させることができる。これにより、ユーザの要望に沿った時間帯に車両への充電をするとともに、時間指定のない車両についてはより早く充電することができる。また、限られた充電スペースを効率的に利用することで、充電スペースの空き予定が歯抜けとなることを抑え、予約充電できる時間帯を広げることができる。
【００８０】
本実施形態に係る機械式駐車場１０では、所定のパズル動作に基づいてパレットを移動させる場合に、充電中の充電用パレットの移動を禁止し、それ以外の充電用パレットを移動させる。これにより、パズル動作に伴って充電中の充電用パレットが移動して車両への充電の中断と再開が繰り返されることを防ぎ、充電の中断と再開が繰り返されることによるバッテリ寿命への影響を抑えることができる。
【００８１】
また、充電スペースは、昇降路９６から最も遠い位置に設けられているため、充電中の充電用パレットの移動を禁止させたとしても、その他のパレットを移動させるパズル動作の解を得るための制約となりにくい。また、充電中の充電用パレットを移動禁止とする制約を課しても、その制約がない場合と比べてパズル動作における移動回数が増えにくいため、入出庫のかかる時間が長くなってしまうことを抑えることができる。これにより、ユーザの利便性が低下してしまうことを防ぐことができる。
【００８２】
一方で、充電中の車両に出庫指示がかかる場合には、その車両への充電を中断して出庫させるとともに、その車両が収容されていた充電スペースを再入庫に備えて一時的に確保しておく。これにより、充電を中断して再入庫したときに充電予約がリセットされて充電開始時刻が当初予定よりも遅くなってしまうことを防ぐことができる。したがって、一時的に車両を乗降室へ呼び出す必要があったとしても、駐車場に入庫したときに決めた当初の予定に沿って充電することができ、ユーザの利便性を高めることができる。
【００８３】
本実施形態に係る機械式駐車場１０では、一律で設定される係数および余裕時間により充電上限時間を算出し、充電を実施した実績時間がその充電上限時間を超えた場合に充電を終了させる。これにより、当初の予定時間を大幅に超えて車両への充電がなされ、後続の車両の充電開始が予定時刻から大幅に遅れてしまうことを防ぐことができる。また、一律で設定される値に基づき、車両の種別や充電方法の違いにより異なる予定時間に応じた充電上限時間を算出できるため、比較的簡便な制御方法で、それぞれの車両に合った上限時間を課すことができる。また、車両への過充電も防止できる。
【００８４】
本実施形態に係る機械式駐車場１０では、地震などによる所定の揺れを検知した場合、給電装置４２から充電用パレットへの電力供給を停止させる。これにより、給電装置４２から電力を供給している際に、給電ユニット４４と受電ユニット１０４とが一時的に外れてしまうことを防ぐことができ、安全性を高めることができる。
【００８５】
（第２の実施形態）
図１６は、第２の実施形態に係る制御装置３０の機能および構成を示すブロック図である。第２の実施形態に係る機械式駐車場１０では、制御装置３０の保持部１２０が許可属性保持部１２６をさらに備える点で第１の実施形態と相違する。許可属性保持部１２６は、充電スペースと、その充電スペースでの充電を許可する充電用パレットとの対応関係を保持し、例えば、急速充電に対応した給電装置が設置される充電スペースには、急速充電に対応したパレットのみが収容されるようにする。以下、第１の実施形態との相違点を中心に説明し、共通点の説明を省略する。
【００８６】
図１７は、許可属性保持部１２６が保持する許可属性情報の一例を示す図である。許可属性保持部１２６は、充電スペースと、その充電スペースにて充電を許可する充電用パレットの属性情報との関係を示す許可属性情報を保持する。本図では、２箇所の充電スペースＡ、Ｂのうち、充電スペースＡに許可属性「α」が設定され、充電スペースＢに許可属性「β」が設定された状態を示している。
【００８７】
図１８は、予約情報保持部１２４に保持される属性情報の一例を示す図である。本実施形態では、予約情報保持部１２４が保持する予定情報として、さらに属性情報が設定される。属性情報は、パレットの種別を示す情報として充電用パレットごとに設定される。本図では、複数の充電用パレットのうち、パレット番号「１」「２」の充電用パレットに属性情報「α」が設定され、パレット番号「３」〜「７」の充電用パレットに属性情報「β」が設定された状態を示している。
【００８８】
管理部１１６は、許可属性保持部１２６を参照し、特定の充電スペースでは、特定の属性を有する充電用パレットのみ充電を許可し、それ以外の属性を有する充電用パレットへの充電を禁止する。充電スペースＡには許可属性として「α」が設定されているため、属性情報が「α」であるパレット番号「１」「２」の充電用パレットのみ充電スペースＡでの充電を許可する。パレット番号「３」〜「７」の充電用パレットは、充電スペースＡでの充電が禁止され、その代わりに許可属性が一致する充電スペースＢでの充電が許可される。
【００８９】
決定部１１４は、充電開始の予定時刻を決定する際に、充電用パレットに付される属性情報に対応した許可属性が設定される充電スペースの空き予定を確認する。例えば、パレット番号「１」の予定時刻を決定する際には、充電スペースＡの空き予定を確認して予定時刻を決定する。充電開始時刻の指定を受けた場合も、充電スペースＡに空きがある場合にのみ予約充電を受け付けする。充電スペースＡに空きがない場合には、指定時刻に充電スペースＢに空きがあったとしても、充電スペースＡの空き予定を確認して代替時刻を探索し、利用者に提示する。
【００９０】
例えば、「α」を急速充電に対応することを示す属性情報とし、「β」を通常充電に対応することを示す属性情報とした場合、急速充電に対応した給電装置４２が備えられる充電スペースに許可属性「α」を設定し、そうでない充電スペースに「β」を設定する。同様に、急速充電に対応した充電用パレットに属性情報「α」を設定し、そうでない充電用パレットに属性情報「β」を設定する。このように充電スペースと充電用パレットとの間の対応関係を設定し、対応関係が満たされる充電用パレットのみ特定の充電スペースに向かわせることで、異なる種類の給電装置を設けた場合にも、一体的に管理することができる。また、急速充電用の充電予約と、通常充電用の充電予約とを別々に管理することができ、利便性を高めることができる。
【００９１】
また、駐車場の定期契約者向けの属性情報を「α」とし、一時利用者向けの属性情報を「β」とすることで、それぞれの利用者が利用できる充電スペースおよび充電用パレットに差を付けて管理することができる。この場合、充電スペースＡを定期契約者向けの専用スペースとし、定期契約者の人数に応じて専用の充電用パレットを用意することで、一時利用者が車両の充電をする場合にも、定期契約者は、専用のスペースを利用することができる。
【００９２】
なお、属性情報は、パレットに積載される車両の種別に応じて設定してもよい。例えば、車両管理番号が登録されている定期契約者の車両が入庫される場合には、その入庫時に属性情報として「α」を設定し、車両管理番号が登録されていない一時利用者の車両が入庫される場合には、属性情報として「β」を設定する。この場合にも、属性情報として「α」が設定される定期契約者の車両は、専用のスペースを利用することができる。
【００９３】
また、属性情報は、パレットに積載される車両の車両管理番号に応じて設定してもよい。例えば、占有スペースとして指定される所定の充電スペースを特定の占有車両のみ使用できるように、特定の車両管理番号に対応付けされる占有車両が積載された充電用パレットにのみ占有スペースに与えられる許可属性を設定することとする。例えば、充電スペースＡの許可属性を「γ」とし、占有車両が積載される場合にのみ充電用パレットの属性情報を「γ」とする。これにより、占有車両以外の車両はこの充電スペースでの充電ができないこととなり、占有車両はいつでも特定の充電スペースＡを利用することができる。
【００９４】
以上、実施の形態に係る機械式駐車場の構成と動作について説明した。この実施の形態は例示であり、それらの各構成要素の組み合わせにいろいろな変形例が可能なこと、またそうした変形例も本発明の範囲にあることは当業者に理解されるところである。
【００９５】
実施の形態では、制御装置に保持される車両管理番号から車両の種別を決定する場合について説明したが、これに限られず、車両の入庫時に操作盤が車両の種別の入力を要求してもよい。
【００９６】
実施の形態では、制御装置に保持される車両管理番号から充電にかかる予定時間を決定する場合について説明したが、これに限られず、車両の入庫時に操作盤が予定時間の入力を要求してもよい。また、車両の種別などによらず、予め設定される一律の予定時間を適用してもよい。
【００９７】
実施の形態では、操作盤に設けられるタッチパネルを通じて、充電予約の指示をすることとしたが、制御装置への指示の方法はこれに限られない。例えば、充電予約用のＷｅｂページを用意し、インターネットなどのネットワークを経由して制御装置の外部から充電予約をしてもよい。また、Ｗｅｂページからの照会により、充電スペースの空き予定や、各車両への充電開始の予定時刻などが確認できるようにしてもよい。
【００９８】
実施の形態では、許可属性として１箇所の充電スペースにつき、一つの属性情報を設定することとしたが、複数の属性情報を設定してもよい。例えば、充電スペースＢに設定する許可属性として、「α」と「β」の双方を設定するようにしてもよい。また、パレットの種別に応じて設定される属性情報と、パレットに積載される車両の種別に応じて設定される属性情報とを組み合わせて許可属性を設定してもよい。
【００９９】
実施の形態では、充電スペース５２を、昇降路９６から最も遠い位置に配置することとしたが、その他の位置に配置することとしてもよい。この場合、パレットのパズル動作を決定する際に移動させる必要性が少ない位置とすることが望ましく、例えば、矩形の駐車室であれば、その四隅の位置に設ければよい。また、駐車室内に柱や壁などが設けられている場合には、隣接する駐車スペースが一つしかなく、袋小路となっている位置などを充電スペースとしてもよい。
【０１００】
実施の形態では、乗降室が昇降路の上端に位置する、いわゆる地下式の機械式駐車場１０について説明したが、これに限られず、乗降室が昇降路の下端に位置する場合や、昇降路の中間に乗降室を設ける場合にも適用できる。また、昇降路の四隅に支柱としてマストが設置されている例について説明したが、昇降路および昇降装置の構造として実施の形態として例示したもの以外を用いることとしてもよい。
【０１０１】
実施の形態では、充電用パレットの長辺に受電ユニットが設けられる場合について示したが、これに限られず、受電ユニットを短辺に設けてもよい。また、給電ユニットの配置に合わせて複数の受電ユニットを２つの長辺または２つの短辺に対応するように設けてもよい。
【０１０２】
実施の形態では、平板状のパレットを使用する場合について説明したが、これに限られない。例えば、轍状の溝を形成したパレットや、櫛歯型のパレットなど、車両を積載して格納することができる形状を有するパレットであればいかなる形状のパレットでも採用することができる。
【符号の説明】
【０１０３】
１０…機械式駐車場、２０…車両、２２…ＥＶ車、２８…操作盤、３０…制御装置、３４…充電用パレット、４２…給電装置、５０…駐車スペース、５２…充電スペース、５６…第１搬送装置、５８…第２搬送装置、６０…タッチパネル、９４…昇降装置、１００…充電用パレット、１１２…受付部、１１４…決定部、１１６…管理部、１１８…検知部、１２０…保持部。
【図１】
2014181500.tif 000003
【図２】
2014181500.tif 000004
【図３】
2014181500.tif 000005
【図４】
2014181500.tif 000006
【図５】
2014181500.tif 000007
【図６】
2014181500.tif 000008
【図７】
2014181500.tif 000009
【図８】
2014181500.tif 000010
【図９】
2014181500.tif 000011
【図１０】
2014181500.tif 000012
【図１１】
2014181500.tif 000013
【図１２】
2014181500.tif 000014
【図１３】
2014181500.tif 000015
【図１４】
2014181500.tif 000016
【図１５】
2014181500.tif 000017
【図１６】
2014181500.tif 000018
【図１７】
2014181500.tif 000019
【図１８】
2014181500.tif 000020